(57)【特許請求の範囲】
【請求項１】
第１情報処理装置が、第１通信回線を通じて通信可能な複数の画像処理装置の中から利用装置を選択する工程と、
前記第１情報処理装置が、ユーザーが携帯する第２情報処理装置を識別する端末識別情報を、前記第２情報処理装置から無線の第２通信回線を通じて受信する工程と、
前記第１情報処理装置が、前記利用装置の位置の案内に関する位置案内情報を前記第２情報処理装置に対して前記第２通信回線を通じて送信する工程と、
前記第１情報処理装置が、前記端末識別情報を、前記利用装置に対して前記第１通信回線を通じて送信し、前記利用装置が前記端末識別情報を前記第１情報処理装置から受信する工程と、
前記利用装置が、前記端末識別情報を、前記第２情報処理装置から前記第２通信回線を通じて受信する工程と、
前記利用装置が、前記第１情報処理装置および前記第２情報処理装置の各々から相互に合致する前記端末識別情報を受信したユーザー近接状態であるか否かを判定する工程と、
前記利用装置が、前記ユーザー近接状態である場合に前記ユーザーを自装置へ誘導する誘導処理を実行する工程と、を含む画像処理装置案内方法。
【請求項２】
前記利用装置が、少なくとも前記ユーザー近接状態となるまで、シート材に画像を形成する印刷ジョブまたは原稿から画像を読み取る原稿スキャンジョブを含む画像処理ジョブの実行を制限する工程を含む、を含む請求項１に記載の画像処理装置案内方法。
【請求項３】
前記第１情報処理装置が、前記印刷ジョブの要求を、前記第２情報処理装置から前記第２通信回線を通じて受信する工程と、
前記第１情報処理装置が、前記印刷ジョブに用いられる印刷ジョブデータを、前記第１通信回線を通じて前記利用装置へ送信し、前記利用装置が前記印刷ジョブデータを受信する工程と、
前記利用装置が、少なくとも前記ユーザー近接状態となるまで、前記端末識別情報の送信元から受信した前記印刷ジョブデータに応じた前記印刷ジョブの実行を制限する工程と、を含む請求項２に記載の画像処理装置案内方法。
【請求項４】
前記画像処理装置各々が、自装置が備える画像処理機能である装備機能の情報を前記第１情報処理装置に対して送信し、前記第１情報処理装置が前記装備機能の情報を受信する工程と、
前記第１情報処理装置が、前記ユーザーが要求する画像処理機能である要求機能の情報を、前記第２情報処理装置から前記第２通信回線を通じて受信する工程と、
前記第１情報処理装置が、前記要求機能を包含する前記装備機能の情報の送信元を前記利用装置の選択候補として特定する工程と、を含み、
前記第１情報処理装置は、前記選択候補の中から前記利用装置を選択する、請求項１から請求項３のいずれか１項に記載の画像処理装置案内方法。
【請求項５】
前記誘導処理が、前記利用装置が備える報知部を通じて報知する処理と誘導情報を前記端末識別情報の送信元である前記第２情報処理装置に対して前記第２通信回線を通じて送信する処理との一方または両方を含む、請求項１から請求項４のいずれか１項に記載の画像処理装置案内方法。
【請求項６】
第１通信回線を通じて第１情報処理装置と通信可能な第１通信部と、
無線の第２通信回線を通じてユーザーが携帯する第２情報処理装置と通信可能な第２通信部と、
シート材に画像を形成する印刷ジョブまたは原稿から画像を読み取る原稿スキャンジョブを含む画像処理ジョブを実行するジョブ実行部と、
第２情報処理装置を識別する端末識別情報を前記第１情報処理装置から前記第１通信回線を通じて受信する端末情報間接受信部と、
前記端末識別情報を前記第２情報処理装置から前記第２通信回線を通じて受信する出力側端末情報直接受信部と、
前記第１情報処理装置および前記第２情報処理装置の各々から相互に合致する前記端末識別情報を受信したユーザー近接状態であるか否かを判定する情報合致判定部と、
前記ユーザー近接状態である場合に前記ユーザーを自装置へ誘導する誘導処理を実行するユーザー誘導部と、を備える画像処理装置。
【請求項７】
前記ユーザー近接状態の判定結果が得られるまで前記ジョブ実行部による前記画像処理ジョブの実行を制限するジョブ制限部を備える、請求項６に記載の画像処理装置。
【請求項８】
前記誘導処理が、当該画像処理装置が備える報知部を通じて報知する処理と誘導情報を前記端末識別情報の送信元である前記第２情報処理装置に対して前記第２通信回線を通じて送信する処理との一方または両方を含む、請求項６または請求項７に記載の画像処理装置。
【請求項９】
請求項６から請求項８のいずれか１項に記載の複数の画像処理装置と、
前記画像処理装置各々と第１通信回線を通じて通信可能な第１情報処理装置と、を備え、
前記第１情報処理装置が、
複数の前記画像処理装置の中から利用装置を選択する利用装置選択部と、
ユーザーが携帯する第２情報処理装置を識別する端末識別情報を、前記第２情報処理装置から無線の第２通信回線を通じて受信する入力側端末情報直接受信部と、
前記利用装置の位置の案内に関する位置案内情報を前記第２情報処理装置に対して前記第２通信回線を通じて送信する位置案内情報送信部と、
前記端末識別情報を前記利用装置に対して前記第１通信回線を通じて送信する端末情報送信部と、を備える画像処理システム。
【発明の詳細な説明】
【技術分野】
【０００１】
本発明は、画像処理装置案内方法、画像処理装置および画像処理システムに関する。
【背景技術】
【０００２】
一般に、印刷ジョブおよび原稿スキャンジョブなどの画像処理ジョブを実行可能な画像処理装置が知られている。前記画像処理装置は、例えばシート材に画像を形成する前記印刷ジョブを実行可能な画像形成装置、および原稿から画像を読み取る前記原稿スキャンジョブを実行可能な画像読取装置などである。
【０００３】
また、複数の排紙ビンを備えた前記画像形成装置が、前記印刷ジョブの送信元のユーザーに対応する前記排紙ビンの表示手段にユーザー情報を表示することなどが知られている（例えば、特許文献１参照）。
【先行技術文献】
【特許文献】
【０００４】
【特許文献１】特開２００２−２２６１３２号公報
【発明の概要】
【発明が解決しようとする課題】
【０００５】
ところで、ユーザーが、ＬＡＮ（Local Area Network）内における複数の前記画像処理装置各々の位置および機能などを知らない環境下において、前記画像処理装置を利用したい場合がある。例えば、前記ユーザーが、図書館などのように前記ユーザーの所属とは関係のない施設内に設置されている前記画像処理装置を利用したい場合などの利用環境が考えられる。
【０００６】
前記利用環境において、前記ユーザーが要求する前記画像処理ジョブを実行可能な前記画像処理装置へ前記ユーザーを適切に案内できることが望まれる。
【０００７】
本発明の目的は、ユーザーがＬＡＮ内における複数の画像処理装置各々の位置などを知らない環境下において、前記ユーザーが要求するジョブを実行可能な画像処理装置へ前記ユーザーを適切に案内できる画像処理装置案内方法、画像処理装置および画像処理システムを提供することにある。
【課題を解決するための手段】
【０００８】
本発明の一の局面に係る画像処理装置案内方法は、以下に示される各工程を含む。第１の工程は、第１情報処理装置が、第１通信回線を通じて通信可能な複数の画像処理装置の中から利用装置を選択する工程である。第２の工程は、前記第１情報処理装置が、ユーザーが携帯する第２情報処理装置を識別する端末識別情報を、前記第２情報処理装置から無線の第２通信回線を通じて受信する工程である。第３の工程は、前記第１情報処理装置が、前記利用装置の位置の案内に関する位置案内情報を前記第２情報処理装置に対して前記第２通信回線を通じて送信する工程である。第４の工程は、前記第１情報処理装置が、前記端末識別情報を、前記利用装置に対して前記第１通信回線を通じて送信し、前記利用装置が前記端末識別情報を前記第１情報処理装置から受信する工程である。第５の工程は、前記画像処理装置が、前記端末識別情報を、前記第２情報処理装置から前記第２通信回線を通じて受信する工程である。第６の工程は、前記画像処理装置が、前記第１情報処理装置および前記第２情報処理装置の各々から相互に合致する前記端末識別情報を受信したユーザー近接状態であるか否かを判定する工程である。第７の工程は、前記画像処理装置が、前記ユーザー近接状態である場合に前記ユーザーを自装置へ誘導する誘導処理を実行する工程である。
【０００９】
本発明の他の局面に係る画像処理装置は、第１通信部と、第２通信部と、ジョブ実行部と、端末情報間接受信部と、出力側端末情報直接受信部と、情報合致判定部と、ユーザー誘導部とを備える。前記第１通信部は、第１通信回線を通じて第１情報処理装置と通信可能である。第２通信部は、無線の第２通信回線を通じてユーザーが携帯する第２情報処理装置と通信可能である。前記ジョブ実行部は、画像処理ジョブを実行する。前記画像処理ジョブは、シート材に画像を形成する印刷ジョブまたは原稿から画像を読み取る原稿スキャンジョブを含む。前記端末情報間接受信部は、第２情報処理装置を識別する端末識別情報を前記第１情報処理装置から前記第１通信回線を通じて受信する。前記出力側端末情報直接受信部は、前記端末識別情報を前記第２情報処理装置から前記第２通信回線を通じて受信する。前記情報合致判定部は、前記第１情報処理装置および前記第２情報処理装置の各々から相互に合致する前記端末識別情報を受信したユーザー近接状態であるか否かを判定する。前記ユーザー誘導部は、前記ユーザー近接状態である場合に前記ユーザーを自装置へ誘導する誘導処理を実行する。
【００１０】
本発明の他の局面に係る画像処理システムは、本発明の他の局面に係る複数の前記画像処理装置と、前記画像処理装置各々と第１通信回線を通じて通信可能な第１情報処理装置とを備える。前記第１情報処理装置が、利用装置選択部と、入力側端末情報直接受信部と、位置案内情報送信部と、端末情報送信部とを備える。前記利用装置選択部は、複数の前記画像処理装置の中から利用装置を選択する。前記入力側端末情報直接受信部は、ユーザーが携帯する第２情報処理装置を識別する端末識別情報を、前記第２情報処理装置から無線の第２通信回線を通じて受信する。前記位置案内情報送信部は、前記利用装置の位置の案内に関する位置案内情報を前記第２情報処理装置に対して前記第２通信回線を通じて送信する。前記端末情報送信部は、前記端末識別情報を前記利用装置に対して前記第１通信回線を通じて送信する。
【発明の効果】
【００１１】
本発明によれば、ユーザーがＬＡＮ内における複数の画像処理装置各々の位置および機能を知らない環境下において、前記ユーザーが要求する画像処理ジョブを実行する画像処理装置へ前記ユーザーを適切に案内できる画像処理装置案内方法、画像処理装置および画像処理システムを提供することが可能になる。
【図面の簡単な説明】
【００１２】
【図１】図１は、実施形態に係る画像形成システムの構成図である。
【図２】図２は、実施形態に係る画像形成システムにおける画像処理装置のブロック図である。
【図３】図３は、実施形態に係る画像形成システムにおける受付装置のブロック図である。
【図４】図４は、実施形態に係る画像形成システムにおける受付装置が実行する利用装置案内処理の手順の一例を示すフローチャートである。
【図５】図５は、実施形態に係る画像形成システムと通信する携帯端末が実行する装置利用要求処理の手順の一例を示すフローチャートである。
【図６】図６は、実施形態に係る画像形成システムにおける画像処理装置が実行するジョブ準備処理の手順の一例を示すフローチャートである。
【図７】図７は、実施形態に係る画像形成システムにおける画像処理装置が実行する携帯側案内誘導処理の手順の一例を示すフローチャートである。
【図８】図８は、実施形態に係る画像形成システムと通信する携帯端末が実行する携帯側案内誘導処理の手順の一例を示すフローチャートである。
【図９】図９は、実施形態に係る画像形成システムと通信する携帯端末に表示される経路案内画面の一例を示す図である。
【図１０】図１０は、実施形態に係る画像形成システムと通信する携帯端末に表示される誘導画面の一例を示す図である。
【発明を実施するための形態】
【００１３】
以下、添付図面を参照しながら、本発明の実施形態について説明する。なお、以下の実施形態は、本発明を具体化した一例であって、本発明の技術的範囲を限定する性格を有さない。
【００１４】
［画像処理システム１００の構成］
まず、図１を参照しつつ、実施形態に係る画像処理システム１００の構成について説明する。画像処理システム１００は、受付装置７と複数の画像処理装置１０とを含む。
【００１５】
画像処理システム１００は、複数の画像処理装置１０の中からユーザーが利用する画像処理装置１０へ前記ユーザーを案内する機能を備える。
【００１６】
受付装置７は、パーソナルコンピューターなどの情報処理装置である。受付装置７は、第１通信回線９１を通じて複数の画像処理装置１０各々と通信可能である。例えば、第１通信回線９１が有線ＬＡＮ、無線ＬＡＮまたはそれらの組合せであることが考えられる。
【００１７】
画像処理装置１０は、画像処理ジョブを実行する装置である。前記画像処理ジョブは、例えば印刷ジョブおよび原稿スキャンジョブである。前記印刷ジョブは、シート材に画像を形成する処理である。前記原稿スキャンジョブは、原稿から画像を読み取る処理である。
【００１８】
前記印刷ジョブには、印刷対象データが第１通信回線９１を通じて他装置から得られるデータである受信データ印刷ジョブと、印刷対象データが前記原稿スキャンジョブによって得られる画像データである複写ジョブとが含まれる。
【００１９】
本実施形態における画像処理装置１０は、前記印刷ジョブを実行可能な画像形成装置であるとともに、前記原稿スキャンジョブを実行可能な画像読取装置でもある複合機である。
【００２０】
また、画像処理システム１００は、装備している画像処理機能の異なる画像処理装置１０を含む。前記画像処理機能の違いとしては、例えば、出力画像解像度の違い、画像読取解像度の違い、カラー画像形成機能の有無、両面画像形成機能の有無、カラー画像読取機能の有無、両面画像読取機能の有無、ファクシミリ通信機能の有無および後処理機能の有無もしくは種類などが考えられる。前記後処理機能の違いとしては、刷物仕分け機能の有無、ステイプル機能の有無およびパンチ孔開け機能の有無などが考えられる。
【００２１】
前記カラー画像形成機能、前記両面画像形成機能、カラー画像読取機能および両面画像読取機能は、それぞれモノクロ画像形成機能、片面画像形成機能、モノクロ画像読取機能および片面画像読取機能を包含する。
【００２２】
また、受付装置７および画像処理装置１０各々は、ユーザーが携帯する携帯端末８との間で無線の第２通信回線９２を通じて通信可能である。例えば、携帯端末８がスマートフォン、タブレットコンピューターまたはウェアラブルコンピューターなどである。前記ウェアラブルコンピューターは、例えばメガネタイプまたはその他のタイプのコンピューターである。
【００２３】
第２通信回線９２は、第１通信回線９１への接続を許可されていない装置に開放された無線の通信回線である。例えば、第２通信回線９２が、第１通信回線９１よりも通信可能範囲が狭い無線の通信回線であることが考えられる。より具体的には、第２通信回線９２が、周知のＢｌｕｅｔｏｏｔｈ（登録商標）またはＷｉｆｉなどの無線通信回線であることが考えられる。
【００２４】
なお、受付装置７は第１情報処理装置の一例であり、携帯端末８は第２情報処理装置の一例である。
【００２５】
［画像処理装置１０の構成］
次に、図２を参照しつつ、画像処理装置１０の構成について説明する。画像処理装置１０は、主制御部１、操作表示部２、原稿スキャンジョブ処理部３、印刷ジョブ処理部４、画像処理部５、第１通信部６１および第２通信部６２などを備える。
【００２６】
原稿スキャンジョブ処理部３はスキャン部３１およびスキャン制御部３２を含む。印刷ジョブ処理部４は、印刷部４１および印刷制御部４２を含む。
【００２７】
複数の画像処理装置１０の中には、前記後処理機能を実現する後処理部６３を備える画像処理装置１０も存在する。また、本実施形態における画像処理装置１０は、誘導灯２０を備える。誘導灯２０は、画像処理装置１０を目立たせる場合に点灯され、その他の場合に消灯される表示灯である。なお、誘導灯２０は報知部の一例である。
【００２８】
主制御部１、スキャン制御部３２、印刷制御部４２、画像処理部５、第１通信部６１、第２通信部６２および後処理部６３は、それぞれバス９に接続されおり、バス９を通じて相互にデータの受け渡しが可能である。
【００２９】
スキャン部３１は、前記原稿に光を走査する不図示の光学系、および原稿からの反射光の光量を画素ごとに検出して原稿画像データを出力する不図示のイメージセンサーなどを備える。
【００３０】
スキャン制御部３２は、スキャン部３１を制御して前記原稿画像データを取得する。さらに、スキャン制御部３２は、バス９を通じて前記原稿画像データを画像処理部５などの他の機器に転送する。即ち、原稿スキャンジョブ処理部３は前記原稿から画像を読み取る前記原稿スキャンジョブを実行する。
【００３１】
印刷部４１は、周知の電子写真方式の画像形成処理によって前記画像記録媒体に画像を形成する。印刷部４１は、不図示の像担持体およびその周辺機器を備え、前記像担持体から前記画像記録媒体に現像剤の画像を転写するとともにその画像を前記画像記録媒体に定着させる。
【００３２】
印刷制御部４２は、画像処理部５から印刷用画像データを取得し、前記印刷用画像データ基づく画像を前記シート材に形成する印刷処理を印刷部４１に実行させる。即ち、印刷ジョブ処理部４は、前記印刷用画像データが表す画像を前記シート材に形成する前記印刷ジョブを実行する。原稿スキャンジョブ処理部３および印刷ジョブ処理部４は、ジョブ実行部の一例である。
【００３３】
第１通信部６１は、第１通信回線９１を通じて受付装置７および他の画像処理装置１０などの外部装置との間でデータの送受信を行う。さらに、第１通信部６１は、バス９を通じて他の機器とデータの受け渡しを行う。例えば、第１通信部６１は、前記外部機器から画像形成用の印刷ジョブデータを受信し、その印刷ジョブデータをバス９を通じて画像処理部５に転送する。
【００３４】
また、第１通信部６１は、スキャン制御部３２から画像処理部５を介して前記原稿画像データを取得し、その原稿画像データを含むデータを前記外部装置へ送信する機能も備える。
【００３５】
第２通信部６２は、第２通信回線９２を通じて前記ユーザーの携帯端末８との間でデータの送受信を行う。さらに、第２通信部６２は、バス９を通じて主制御部１などの他の機器とデータの受け渡しを行う。
【００３６】
画像処理装置１０が第１通信回線９１を通じて受付装置７との間でデータを送信または受信する処理においては、第１通信部６１が主制御部１と受付装置７との間のデータ通信を中継する。同様に、画像処理装置１０が第２通信回線９２を通じて携帯端末８との間でデータを送信または受信する処理においては、第２通信部６２が主制御部１と携帯端末８との間のデータ通信を中継する。
【００３７】
画像処理部５は、バス９を通じて他の機器から得た画像データなどに対する各種のデータ処理を実行する。画像処理部５によるデータ処理の対象は、例えば、スキャン制御部３２から得られる前記原稿画像データまたは前記外部装置から第１通信部６１を通じて得られる前記印刷ジョブデータなどである。
【００３８】
例えば、画像処理部５は、スキャン制御部３２から得られる前記原稿画像データに対し、画像回転処理、ハーフトーン処理またはサイズカット処理などの画像処理を施す。また、画像処理部５は、スキャン制御部３２から得られる前記原稿画像データおよび第１通信部６１から得られる前記印刷ジョブデータを前記印刷用画像データへ変換し、印刷制御部４２へ転送する処理なども実行する。
【００３９】
操作表示部２は、例えばタッチパネルおよび操作ボタンなどを含む情報入力用の操作部と、液晶表示パネルおよび通知ランプなどを含む表示部とを含む。
【００４０】
主制御部１は、他の制御部を統括して制御する。例えば、主制御部１は、操作表示部２に操作メニューなどを表示させる。さらに、主制御部１は、操作表示部２に対する操作を通じて入力される入力情報および各種センサーの検出結果に応じて他の制御部に制御指令を出力する。図２が示すように、主制御部１は、ＭＰＵ（Micro Processor Unit）１１および記憶部１２などを備える。
【００４１】
ＭＰＵ１１は、各種の演算およびデータ処理を実行するプロセッサーである。記憶部１２は、ＭＰＵ１１が参照する各種情報を記憶する不揮発性の記憶部である。また、記憶部１２は、ＭＰＵ１１による各種情報の読み書きが可能な記憶部でもある。
【００４２】
記憶部１２は、ＭＰＵ１１に各種の処理を実行させるためのプログラムおよびそれらのプログラムを実行するＭＰＵ１１によって参照される情報および書き込まれる情報を記憶する。なお、主制御部１は、ＭＰＵ１１が実行するプログラムを一時記憶するＲＡＭなどの不図示の揮発性記憶部も備える。
【００４３】
［受付装置７の構成］
図３が示すように、受付装置７は、本体部７１、操作部７２および表示部７３を備える。本体部７１は、ＣＰＵ（Central Processing Unit）７１１、記憶部７１２、第１通信部７１３、第２通信部７１４および信号インターフェイス７１５などを含む。
【００４４】
ＣＰＵ７１１は、各種の演算およびデータ処理を実行するプロセッサーである。記憶部７１２は、ＣＰＵ７１１が参照する各種情報を記憶する不揮発性の記憶部である。また、記憶部７１２は、ＣＰＵ７１１による各種情報の読み書きが可能な記憶部でもある。
【００４５】
記憶部７１２は、ＣＰＵ７１１に各種の処理を実行させるためのプログラムおよびそれらのプログラムを実行するＣＰＵ７１１によって参照される情報および書き込まれる情報を記憶する。なお、本体部７１は、ＣＰＵ７１１が実行するプログラムを一時記憶するＲＡＭなどの不図示の揮発性記憶部も備える。
【００４６】
操作部７２は、人の操作に従って情報を入力するキーボードまたはマウスなどの情報入力装置である。表示部７３は、液晶ディスプレーなどの情報出力装置である。信号インターフェイス７１５は、ＣＰＵ７１１と操作部７２および表示部７３との間の情報の受け渡しを中継する。
【００４７】
第１通信部７１３は、画像処理装置１０の第１通信部６１と同様に、第１通信回線９１を通じて画像処理装置１０などの外部装置との間でデータの送受信を行う。さらに、第１通信部６１は、ＣＰＵ７１１とデータの受け渡しを行う。
【００４８】
第２通信部７１４は、画像処理装置１０の第２通信部６２と同様に、第２通信回線９２を通じて前記ユーザーの携帯端末８との間でデータの送受信を行う。さらに、第２通信部７１４は、ＣＰＵ７１１とデータの受け渡しを行う。
【００４９】
受付装置７が第１通信回線９１を通じて画像処理装置１０との間でデータを送信または受信する処理においては、第１通信部７１３がＣＰＵ７１１と画像処理装置１０との間のデータ通信を中継する。同様に、受付装置７が第２通信回線９２を通じて携帯端末８との間でデータを送信または受信する処理においては、第２通信部７１４がＣＰＵ７１１と携帯端末８との間のデータ通信を中継する。
【００５０】
ところで、ユーザーが、第１通信回線９１内における複数の画像処理装置１０各々の位置および機能などを知らない環境下において、画像処理装置１０を利用したい場合がある。例えば、前記ユーザーが、図書館などのように前記ユーザーの所属とは関係のない施設内に設置されている画像処理装置１０を利用したい場合などの利用環境が考えられる。
【００５１】
前記利用環境において、前記ユーザーが要求する前記画像処理ジョブを実行可能な画像処理装置１０へ前記ユーザーを適切に案内できることが望まれる。
【００５２】
画像処理システム１００は、前記ユーザーが第１通信回線９１内における複数の画像処理装置１０各々の位置などを知らない環境下において、前記ユーザーが要求するジョブを実行可能な画像処理装置１０へ前記ユーザーを適切に案内できる機能を備える。
【００５３】
画像処理システム１００において、前記ユーザーを適切に案内するために、受付装置７が、図４に示される利用装置案内処理を実行し、画像処理装置１０が、図６に示されるジョブ準備処理および図７に示される誘導・ジョブ制御を実行する。
【００５４】
一方、前記ユーザーが携帯する携帯端末８が、図５に示される装置利用要求処理および図８に示される携帯側案内誘導処理を実行する。前記装置利用要求処理は、前記利用装置案内処理を実行する受付装置７との通信を伴う処理である。また、前記携帯側案内誘導処理は、前記誘導・ジョブ制御を実行する画像処理装置１０との通信を伴う処理である。
【００５５】
［前記利用装置案内処理］
以下、図４に示されるフローチャートを参照しつつ、受付装置７が実行する前記利用装置案内処理の手順の一例について説明する。以下の説明において、Ｓ１０１，Ｓ１０２，…は、受付装置７が実行する各工程の識別符号を表す。
【００５６】
受付装置７のＣＰＵ７１１が利用装置案内プログラムＰｒ１１を実行することにより、受付装置７による前記利用装置案内処理が実現される。受付装置７は、例えば操作部７２に対する予め定められた開始操作を検知した場合などに、前記利用装置案内処理を開始する。
【００５７】
＜工程Ｓ１０１＞
前記利用装置案内処理において、受付装置７は、前記ユーザーの携帯端末８からジョブ要求コマンドＤ１１が届くか否かを監視する。受付装置７は、ジョブ要求コマンドＤ１１が届いた場合、そのジョブ要求コマンドＤ１１を携帯端末８から第２通信回線９２を通じて受信する。
【００５８】
ジョブ要求コマンドＤ１１は、携帯端末８の識別情報である端末ＩＤ（Ｄ０１）と、前記画像処理ジョブに関する要求機能情報Ｄ０２とを含む。例えば、端末ＩＤ（Ｄ０１）が、携帯端末８のＭＡＣアドレスまたは携帯端末８に予め設定されている前記ユーザーのアカウント情報などであることが考えられる。
【００５９】
要求機能情報Ｄ０２は、前記画像処理ジョブの実行のために画像処理装置１０が装備していることを求める前記画像処理機能である。以下、要求機能情報Ｄ０２が表す前記画像処理機能のことを要求機能と称する。
【００６０】
さらに、ジョブ要求コマンドＤ１１は、前記ユーザーが要求する前記画像処理ジョブが前記印刷ジョブである場合における印刷対象データの供給元を表すデータ供給元情報Ｄ０３を含む。例えば、前記印刷対象データの供給元が携帯端末８、受付装置７またはその他であることが考えられる。
【００６１】
データ供給元情報Ｄ０３が携帯端末８を表す場合、前記印刷対象データは、携帯端末８から受付装置７へ送信され、さらに画像処理装置１０へ転送される。データ供給元情報Ｄ０３が受付装置７を表す場合、前記印刷対象データは、受付装置７の記憶部７１２から画像処理装置１０へ送信される。
【００６２】
＜工程Ｓ１０２＞
受付装置７は、前記ジョブ要求を受信すると、第１通信回線９１を通じて通信可能な全ての画像処理装置１０各々に対し、装備機能情報Ｄ２２を要求する装備機能要求コマンドＤ２１を送信する。
【００６３】
さらに、受付装置７は、装備機能要求コマンドＤ２１に応じて画像処理装置１０各々から返信される装備機能情報Ｄ２２を受信する。
【００６４】
装備機能情報Ｄ２２は、画像処理装置１０各々が装備する前記画像処理機能を表す情報である。以下、装備機能情報Ｄ２２が表す前記画像処理機能のことを装備機能と称する。
【００６５】
また、工程Ｓ１０２において、受付装置７が、装備機能情報Ｄ２２に加えて画像処理装置１０各々の位置情報を、画像処理装置１０各々から第１通信回線９１を通じて取得することも考えられる。前記位置情報は、少なくとも受付装置７から画像処理装置１０各々までの経路長の大小関係を特定できる情報である。
【００６６】
また、画像処理装置１０各々の前記位置情報が、予め受付装置７の記憶部７１２に記憶されていることも考えられる。
【００６７】
＜工程Ｓ１０３＞
さらに、受付装置７は、前記要求機能を包含する前記装備機能を表す装備機能情報Ｄ２２の送信元を利用装置の選択候補Ｄ１２として特定する。前記利用装置は、前記ユーザーが要求する前記画像処理ジョブを実行する装置である。
【００６８】
＜工程Ｓ１０４＞
次に、受付装置７は、前記利用装置の選択候補Ｄ１２を前記ユーザーに提示する処理を実行する。本実施形態において、受付装置７は、選択候補Ｄ１２の情報を第２通信回線９２を通じてジョブ要求コマンドＤ１１の送信元へ送信することによって選択候補Ｄ１２をユーザーに提示する。
【００６９】
後述するように、携帯端末８は、受付装置７から受信した選択候補Ｄ１２を表示部に表示させる。なお、受付装置７が、自装置の表示部７３に選択候補Ｄ１２を表示することによって選択候補Ｄ１２を前記ユーザーに提示することも考えられる。
【００７０】
工程Ｓ１０４において、受付装置が、前記位置情報によって特定される受付装置７からの経路長がより短い位置の選択候補Ｄ１２を優先して提示することが考えられる。選択候補Ｄ１２の優先提示の方法としては、例えば、先の順序で提示すること、色分けしてもしくは強調して提示すること、または前記経路長の情報とともに提示することなどが考えられる。
【００７１】
また、工程Ｓ１０４において、受付装置７が、選択候補Ｄ１２の情報をそれぞれの前記装備機能の情報とともに提示することも考えられる。
【００７２】
＜工程Ｓ１０５＞
次に、受付装置７は、携帯端末８から利用装置選択指示コマンドＤ１３を受信し、その利用装置選択指示コマンドＤ１３の内容に従って前記利用装置を選択する。利用装置選択指示コマンドＤ１３は、携帯端末８において前記ユーザーの操作に従って選択候補Ｄ１２の中から指定された１つの画像処理装置１０を前記利用装置と選択することを指示するコマンドである。
【００７３】
なお、受付装置７が、選択候補Ｄ１２の中から受付装置７からの経路長が最も短い位置に設置された画像処理装置１０を前記利用装置として自動的に選択することも考えられる。また、受付装置７が、自装置の操作部７２に対する操作に従って、選択候補Ｄ１２の中から前記利用装置を選択することも考えられる。この場合、前記ユーザーは受付装置７の操作部７２に対して前記利用装置を選択する操作を行う。
【００７４】
＜工程Ｓ１０６＞
前記利用装置の選択が確定すると、受付装置７は、前記利用装置の位置の案内に関する位置案内情報Ｄ１４を、携帯端末８に対して第２通信回線９２を通じて送信する。
【００７５】
例えば、位置案内情報Ｄ１４が、受付装置７および前記利用装置を含むエリアのフロアマップ情報および受付装置７から前記利用装置までの移動経路を表す移動経路情報のうちの一方または両方を含むことが考えられる。また、それらの情報が、図もしくは写真などの画像および説明文のうちの一方または両方であることが考えられる。また、位置案内情報Ｄ１４が、前記フロアマップ情報または前記移動経路情報と、前記フロアマップ情報または前記移動経路情報における方位を表す方位情報とを含むことも考えられる。
【００７６】
携帯端末８が電子コンパスを備えている場合、携帯端末８が前記電子コンパスが検出する方位と前記方位情報が表す方位とを自装置の表示部に表示させることができる。
【００７７】
＜工程Ｓ１０７＞
さらに、受付装置７は、ジョブ要求コマンドＤ１１に含まれる端末ＩＤ（Ｄ０１）を、前記利用装置に対して第１通信回線９１を通じて送信する。前記利用装置は、自装置を利用する予定の前記ユーザーの携帯端末８を端末ＩＤ（Ｄ０１）によって識別することができる。
【００７８】
＜工程Ｓ１０８，Ｓ１０９＞
さらに、受付装置７は、ジョブ要求コマンドＤ１１に含まれるデータ供給元情報Ｄ０３の内容を判定する。即ち、受付装置７は、携帯端末８のデータを前記印刷対象データとする前記印刷ジョブが要求されているか否かの判定（Ｓ１０８）と、受付装置７のデータを前記印刷対象データとする前記印刷ジョブが要求されているか否かの判定（Ｓ１０９）とを実行する。
【００７９】
要求ジョブが携帯端末８または受付装置７のデータを前記印刷対象データとする前記印刷ジョブではない場合、受付装置７は、新たな前記画像処理ジョブを受け付けるために、工程Ｓ１０１からの処理を繰り返す。
【００８０】
＜工程Ｓ１１０＞
前記要求ジョブが携帯端末８のデータを前記印刷対象データとする前記印刷ジョブである場合、受付装置７は、携帯端末８から印刷対象データＤ１５を受信する。
【００８１】
＜工程Ｓ１１１＞
また、前記要求ジョブが受付装置７のデータを前記印刷対象データとする前記印刷ジョブである場合、受付装置７は、前記印刷対象データを選択する処理を実行する。この場合、前記印刷対象データは、受付装置７の記憶部７１２に既に記憶されているデータ、または、受付装置７が第１通信回線９１を通じて他の装置から自装置の記憶部７１２にダウンロードするデータなどである。
【００８２】
前記印刷対象データを選択する処理において、前記印刷対象データが、受付装置７の操作部７２に対する操作に従って、または、携帯端末８からの選択指令に従って選択される。
【００８３】
＜工程Ｓ１１２＞
さらに、受付装置７は、工程Ｓ１１０で受信した印刷対象データＤ１５または工程Ｓ１１１で選択した前記印刷対象データに対応する印刷ジョブデータＤ２３を生成し、その印刷ジョブデータＤ２３を端末ＩＤ（Ｄ０１）とともに前記利用装置へ送信する。印刷ジョブデータＤ２３は、前記印刷ジョブの実行に用いられるデータである。
【００８４】
印刷ジョブデータＤ２３とともに送信される端末ＩＤ（Ｄ０１）は、印刷対象データＤ１５の送信元の識別情報である。工程Ｓ１１２の後、受付装置７は、新たな前記画像処理ジョブを受け付けるために、工程Ｓ１０１からの処理を繰り返す。
【００８５】
［前記装置利用要求処理］
次に、図５に示されるフローチャートを参照しつつ、携帯端末８が実行する前記装置利用要求処理の手順の一例について説明する。以下の説明において、Ｓ２０１，Ｓ２０２，…は、携帯端末８が実行する各工程の識別符号を表す。
【００８６】
携帯端末８は、不図示のＣＰＵおよび記憶部を備える。携帯端末８において前記ＣＰＵが前記記憶部に記憶された装置利用要求プログラムを実行する。これにより、携帯端末８による前記装置利用要求処理が実現される。携帯端末８は、例えば携帯端末８の操作部に対する予め定められた開始操作を検知した場合などに、前記装置利用要求処理を開始する。
【００８７】
＜工程Ｓ２０１＞
前記装置利用要求処理において、携帯端末８は、前記ユーザーの操作に従って前記要求機能を設定する処理を実行する。この工程Ｓ２０１において、データ供給元情報Ｄ０３も設定される。
【００８８】
例えば、前記要求機能の複数の候補が予め携帯端末８の前記記憶部に登録されており、前記要求機能が、前記ユーザーの操作に従ってそれら複数の候補の中から選択されることが考えられる。
【００８９】
また、携帯端末８が、カメラと、そのカメラによって得られる画像データから前記要求機能の一部または全部を設定する要求機能自動設定機能とを備えることも考えられる。この場合、前記画像データは、前記印刷ジョブまたは前記画像読取ジョブの対象となる原稿の画像データである。
【００９０】
例えば、前記要求機能自動設定機能が、前記画像データの画像がカラー画像であるか否かを判定し、その判定結果に応じて前記要求機能として前記カラー画像形成機能を設定するか否かを決定する機能を含む。
【００９１】
また、前記要求機能自動設定機能が、前記画像データの画像が写真画像であるか否かを判定し、その判定結果に応じて前記要求機能として画像形成の解像度の範囲を設定する機能を含むことも考えられる。
【００９２】
また、前記要求機能自動設定機能が、前記画像データに含まれる電子透かし情報を抽出し、その電子透かし情報が表す前記画像処理機能を前記要求機能として設定する機能を含むことなども考えられる。
【００９３】
＜工程Ｓ２０２＞
次に、携帯端末８は、ジョブ要求コマンドＤ１１を受付装置７に対して第２通信回線９２を通じて送信する。ジョブ要求コマンドＤ１１は、自装置を識別する端末ＩＤ（Ｄ０１）と、工程Ｓ２０１で設定された前記要求機能を表す要求機能情報Ｄ０２と、工程Ｓ２０１で設定されたデータ供給元情報Ｄ０３とを含む。
【００９４】
＜工程Ｓ２０３＞
次に、携帯端末８は、前記利用装置の選択候補Ｄ１２を受付装置７から第２通信回線９２を通じて受信する。
【００９５】
＜工程Ｓ２０４＞
前述したように、携帯端末８は、受付装置７から受信した選択候補Ｄ１２を表示部に表示させる。
【００９６】
＜工程Ｓ２０５＞
さらに、携帯端末８は、自装置の操作部に対する操作に従って、表示中の選択候補Ｄ１２の中から前記利用装置として指定する候補を決定する。さらに、携帯端末８は、その決定結果を表す利用装置選択指示コマンドＤ１３を受付装置７に対して第２通信回線９２を通じて送信する。
【００９７】
＜工程Ｓ２０６＞
次に、携帯端末８は、受付装置７により選択された前記利用装置前記の位置の案内に関する位置案内情報Ｄ１４を、受付装置７から第２通信回線９２を通じて受信する。
【００９８】
＜工程Ｓ２０７＞
さらに、携帯端末８は、要求する前記画像処理ジョブが携帯端末８のデータを前記印刷対象データとする前記印刷ジョブであるか否かに応じて、次の工程Ｓ２０８の処理を実行するかスキップするかを制御する。
【００９９】
なお、工程Ｓ２０１で設定されたジョブ要求コマンドＤ１１のデータ供給元情報Ｄ０３が、前記印刷対象データとして携帯端末８のデータが設定されているか否かを表す。
【０１００】
＜工程Ｓ２０８＞
前記印刷対象データが携帯端末８のデータである場合、携帯端末８は、自装置の操作部に対する操作に従って前記印刷対象データを選択する。さらに、携帯端末８は、選択した前記印刷対象データを受付装置７に対して第２通信回線９２を通じて送信する。
【０１０１】
＜工程Ｓ２０９＞
工程Ｓ２０１〜Ｓ２０８の処理の後、携帯端末８は、図７に示される前記携帯側案内誘導処理を実行する。前記携帯側案内誘導処理の具体例については後述する。前記携帯側案内誘導処理の後、携帯端末８による前記装置利用要求処理が終了する。
【０１０２】
［前記ジョブ準備処理］
次に、図６に示されるフローチャートを参照しつつ、画像処理装置１０が実行する前記ジョブ準備処理の手順の一例について説明する。以下の説明において、Ｓ３０１，Ｓ３０２，…は、画像処理装置１０が実行する各工程の識別符号を表す。
【０１０３】
画像処理装置１０における主制御部１のＭＰＵ１１がジョブ準備プログラムＰｒ２１を実行することにより、画像処理装置１０による前記ジョブ準備処理が実現される。画像処理装置１０の主制御部１は、例えば通電開始により起動したときに前記ジョブ準備処理を開始する。
【０１０４】
＜工程Ｓ３０１＞
前記ジョブ準備処理において、主制御部１は、第１通信回線９１を通じた受付装置７からの装備機能要求コマンドＤ２１の受信状況を監視し、受信の要請に応じて装備機能要求コマンドＤ２１を受信する。さらに、主制御部１は、装備機能要求コマンドＤ２１を受信した場合、自装置の前記装備機能を表す装備機能情報Ｄ２２を受付装置７に対して第１通信回線９１を通じて送信する。
【０１０５】
＜工程Ｓ３０２＞
また、主制御部１は、第１通信回線９１を通じた受付装置７からの端末ＩＤ（Ｄ０１）の受信状況を監視し、受信の要請に応じて端末ＩＤ（Ｄ０１）を受信する。さらに、主制御部１は、受信した端末ＩＤ（Ｄ０１）を記憶部１２に記憶させる。
【０１０６】
＜工程Ｓ３０３＞
さらに、主制御部１は、受信した端末ＩＤ（Ｄ０１）に対応づけて前記画像処理ジョブの実行を制限することを表す情報を記憶部１２に記憶させる。例えば、主制御部１は、前記画像処理ジョブの実行を許容することを表すジョブ実行許容フラグをＯＦＦに設定し、そのジョブ実行許容フラグを端末ＩＤ（Ｄ０１）に対応づけて記憶部１２に記憶させる。
【０１０７】
＜工程Ｓ３０４＞
さらに、主制御部１は、第１通信回線９１を通じた受付装置７からの印刷ジョブデータＤ２３の受信状況を監視し、受信の要請に応じて印刷ジョブデータＤ２３を端末ＩＤ（Ｄ０１）とともに受信する。さらに、主制御部１は、受信した印刷ジョブデータＤ２３を既に記憶されている端末ＩＤ（Ｄ０１）に対応づけて記憶部１２に記憶させる。
【０１０８】
画像処理装置１０は、前記ジョブ準備処理の実行により、ジョブ要求コマンドＤ１１を受付装置７に送信した携帯端末８を携帯する前記ユーザーが自装置を利用可能な状態になる。
【０１０９】
［前記誘導・ジョブ制御］
次に、図７に示されるフローチャートを参照しつつ、画像処理装置１０が実行する前記誘導・ジョブ制御の手順の一例について説明する。以下の説明において、Ｓ４０１，Ｓ４０２，…は、画像処理装置１０が実行する各工程の識別符号を表す。
【０１１０】
画像処理装置１０における主制御部１のＭＰＵ１１が誘導・ジョブ制御プログラムＰｒ２２を実行することにより、画像処理装置１０による前記誘導・ジョブ制御が実現される。画像処理装置１０の主制御部１は、例えば前記ジョブ準備処理の工程Ｓ３０２において受付装置７から端末ＩＤ（Ｄ０１）を受信したとき、および、受付装置７から受信した端末ＩＤ（Ｄ０１）が記憶部１２に記憶されている状態で起動したときなどに前記誘導・ジョブ制御を開始する。
【０１１１】
＜工程Ｓ４０１＞
前記誘導・ジョブ制御において、主制御部１は、第２通信回線９２を通じた携帯端末８からの端末ＩＤ（Ｄ０１）の受信状況を監視し、受信の要請に応じて端末ＩＤ（Ｄ０１）を受信する。主制御部１は、携帯端末８から端末ＩＤ（Ｄ０１）を受信した場合に次の工程Ｓ４０２以降の処理を実行し、そうでなければ端末ＩＤ（Ｄ０１）の受信を待つ。
【０１１２】
＜工程Ｓ４０２＞
主制御部１は、第２通信回線９２を通じて受信した端末ＩＤ（Ｄ０１）が記憶部１２に既に記憶されている端末ＩＤ（Ｄ０１）のいずれかと合致するか否かを判定する端末ＩＤ照合処理を実行する。前記端末ＩＤ照合処理は、受付装置７および携帯端末８の各々から相互に合致する端末ＩＤ（Ｄ０１）を受信した状態であるか否かを判定する処理である。
【０１１３】
前記端末ＩＤ照合処理が成功した状態は、ジョブ要求コマンドＤ１１を受付装置７に送信した携帯端末８を携帯する前記ユーザーが自装置に近接した状態である。以下、この状態のことをユーザー近接状態と称する。前記端末ＩＤ照合処理に成功した状態が前記ユーザー近接状態である。
【０１１４】
また、以下の説明において、成功した前記端末ＩＤ照合処理に用いられた端末ＩＤ（Ｄ０１）、即ち、受付装置７から受信した端末ＩＤ（Ｄ０１）と携帯端末８から受信した端末ＩＤ（Ｄ０１）とが合致する場合におけるその端末ＩＤ（Ｄ０１）のことを近接端末ＩＤと称する。
【０１１５】
主制御部１は、主制御部１は、前記端末ＩＤ照合処理に失敗した場合、工程Ｓ４０１からの処理を実行することによって新たな端末ＩＤ（Ｄ０１）の受信を待つ。
【０１１６】
＜工程Ｓ４０３＞
主制御部１は、前記端末ＩＤ照合処理に成功した場合、誘導灯２０を点灯させる。誘導灯２０を点灯させる処理は、画像処理装置１０が備える報知部を通じて報知する処理の一例である。
【０１１７】
＜工程Ｓ４０４＞
さらに、主制御部１は、前記端末ＩＤ照合処理に成功した場合、予め設定された誘導情報Ｄ３１を前記近接端末ＩＤの送信元である携帯端末８に対して第２通信回線９２を通じて送信する。
【０１１８】
工程Ｓ４０３および工程Ｓ４０４の処理は、前記ユーザー近接状態である場合に前記ユーザーを自装置へ誘導する誘導処理の一例である。
【０１１９】
例えば、誘導情報Ｄ３１が、前記利用装置およびその周辺の状態を表す装置周辺画像および説明文のうちの一方または両方を含むことが考えられる。また、誘導情報Ｄ３１が、前記装置周辺画像上での方位を表す方位情報とを含むことも考えられる。
【０１２０】
＜工程Ｓ４０５＞
前記ユーザー近接状態において、主制御部１は、予め定められた到達条件が成立するか否かを判定する。前記到達条件の一例は、前記端末ＩＤ照合処理に成功してから予め定められた監視時間が経過するまでに前記近接端末ＩＤの送信元から予め定められた到達応答Ｄ３２を受信することである。
【０１２１】
また、前記到達条件の他の例は、前記端末ＩＤ照合処理に成功してから前記監視時間が経過するまでに、前記近接端末ＩＤの送信元との間で第２通信回線９２を通じた通信が可能な状態で、自装置の操作表示部２に対する予め定められた操作を検知したことである。
【０１２２】
＜工程Ｓ４０６＞
主制御部１は、前記到達条件が成立すると、誘導灯２０を消灯させるとともに、前記近接端末ＩＤに対応する前記ジョブ実行許容フラグをＯＮに設定する。これにより、前記近接端末ＩＤの送信元の前記ユーザーについて、前記画像処理ジョブの実行の制限が解除される。
【０１２３】
なお、主制御部１が、前記端末ＩＤ照合処理に成功したときに、前記近接端末ＩＤの送信元の前記ユーザーについて前記画像処理ジョブの実行の制限を解除することも考えられる。
【０１２４】
＜工程Ｓ４０７＞
さらに、主制御部１は、前記近接端末ＩＤに対応する印刷ジョブデータＤ２３が記憶部１２に記憶されている場合に、その印刷ジョブデータＤ２３に基づく前記受信データ印刷ジョブを画像処理部５および印刷ジョブ処理部４に実行させる。これにより、画像処理部５が、印刷ジョブデータＤ２３を前記印刷用画像データへ変換し、印刷ジョブ処理部４が、前記印刷用画像データが表す画像を前記シート材に形成する。
【０１２５】
本実施形態においては、画像処理装置１０は、前記端末ＩＤ照合処理に成功した上で前記到達条件が成立した場合に、受付装置７から受信した印刷ジョブデータＤ２３に基づく前記受信データ印刷ジョブを実行する。
【０１２６】
しかしながら、画像処理装置１０が、前記端末ＩＤ照合処理に成功したときに、受付装置７から受信した印刷ジョブデータＤ２３に基づく前記受信データ印刷ジョブを実行することも考えられる。
【０１２７】
＜工程Ｓ４０８＞
さらに、主制御部１は、前記到達条件の成立後に、操作表示部２に対する操作によって前記画像処理ジョブが指定された場合に、指定された前記原稿スキャンジョブまたは前記複写ジョブなどの前記画像処理ジョブを原稿スキャンジョブ処理部３または印刷ジョブ処理部４などに実行させる。
【０１２８】
＜工程Ｓ４０９＞
また、主制御部１は、前記到達条件の成立後に、予め定められた終了条件が成立するか否かを判定する処理を随時実行する。主制御部１は、前記終了条件が成立するまで操作表示部２に対する操作に応じて工程Ｓ４０８の処理を実行可能な状態を維持する。
【０１２９】
前記終了条件の一例は、前記近接端末ＩＤを含む継続通知Ｄ３３を予め定められた時間内に携帯端末８から受信できないことである。また、前記終了条件の他の例は、操作表示部２に対する予め定められた終了操作を検知したことである。
【０１３０】
＜工程Ｓ４１０＞
主制御部１は、前記終了条件が成立すると、前記近接端末ＩＤを記憶部１２から削除する。その後、主制御部１は、工程Ｓ４０１からの処理を繰り返す。
【０１３１】
［前記携帯側案内誘導処理］
次に、図８に示されるフローチャートを参照しつつ、携帯端末８が実行する前記携帯側案内誘導処理の手順の一例について説明する。以下の説明において、Ｓ５０１，Ｓ５０２，…は、携帯端末８が実行する各工程の識別符号を表す。
【０１３２】
携帯端末８において、前記ＣＰＵが前記記憶部に記憶された案内誘導プログラムを実行する。これにより、携帯端末８による前記携帯側案内誘導処理が実現される前記携帯側案内誘導処理は、図５に示される前記装置利用要求処理の工程Ｓ２０９の処理である。即ち、携帯端末８は、受付装置７から位置案内情報Ｄ１４を受信した後に前記携帯側案内誘導処理を実行する。
【０１３３】
＜工程Ｓ５０１＞
前記携帯側案内誘導処理において、携帯端末８は、位置案内情報Ｄ１４を自装置の表示部に表示させる。例えば、携帯端末８は、位置案内情報Ｄ１４を含む経路案内画面ｇ１を前記表示部に表示させる。
【０１３４】
図９は経路案内画面ｇ１の一例を示す。経路案内画面ｇ１は、位置案内情報Ｄ１４に含まれるフロアマップ画像ｇ１０を表示する画面である。フロアマップ画像ｇ１０は、受付装置７および前記利用装置を含むエリアのフロアマップの画像である。
【０１３５】
フロアマップ画像ｇ１０には、受付装置７の位置を表すスタート位置画像ｇ１１と、前記利用装置の位置を表す目的位置画像ｇ１２と、移動経路画像ｇ１３とが含まれる。移動経路画像ｇ１３は、受付装置７から前記利用装置までの移動経路を表す。
【０１３６】
さらに、経路案内画面ｇ１は、フロアマップ画像ｇ１０における方位を基準にした携帯端末８の向きを表す端末向き画像ｇ１４を含む。端末向き画像ｇ１４は、携帯端末８の前記電子コンパスによって検出される方位を位置案内情報Ｄ１４に含まれる前記方位情報が表す方位に合わせたときの携帯端末８の向きを示す。
【０１３７】
位置案内情報Ｄ１４が前記方位情報を含むことにより、携帯端末８において端末向き画像ｇ１４を表示することができる。これにより、前記ユーザーの向きと経路案内画面ｇ１のフロアマップ画像ｇ１０および移動経路画像ｇ１３の向きとの関係を把握することが容易となる。その結果、前記ユーザーを適切に前記利用装置へ案内することができる。
【０１３８】
なお、携帯端末８が、自装置の現在位置をフロアマップ画像ｇ１０内に表示する機能を備えることも考えられる。例えば、複数の無線アクセスポイントが、画像処理システム１００が配置されるエリア内に設置されている場合に、携帯端末８が、第２通信回線９２を通じて通信可能となった前記無線アクセスポイントとの間で位置確認用通信を実行する。
【０１３９】
前記位置確認用通信において、前記無線アクセスポイント各々が、フロアマップ画像ｇ１０内における自身の位置を表すアクセスポイント位置情報と、携帯端末８から送信された電波の受信強度とを携帯端末８に送信する。携帯端末８は、複数の前記アクセスポイント位置情報および複数の前記受信強度から前記現在位置を導出し、前記現在位置をフロアマップ画像ｇ１０内に表示する。
【０１４０】
＜工程Ｓ５０２＞
携帯端末８は、経路案内画面ｇ１の表示中に、第２通信回線９２を通じて周辺の画像処理装置１０と通信可能であるか否かを随時確認する。さらに、携帯端末８は、自装置の端末ＩＤ（Ｄ０１）を、通信可能な周辺の画像処理装置１０に対して第２通信回線９２を通じて送信する。
【０１４１】
＜工程Ｓ５０３＞
さらに、携帯端末８は、端末ＩＤ（Ｄ０１）の送信先の画像処理装置１０から誘導情報Ｄ３１が届くか否かを監視する。携帯端末８は、誘導情報Ｄ３１が届いた場合、その誘導情報Ｄ３１を第２通信回線９２を通じて受信する。
【０１４２】
携帯端末８は、誘導情報Ｄ３１を受信できるまで工程Ｓ５０１〜Ｓ５０３の処理を繰り返す
【０１４３】
＜工程Ｓ５０４＞
次に、携帯端末８は、誘導情報Ｄ３１を自装置の表示部に表示させる。例えば、携帯端末８は、誘導情報Ｄ３１を含む誘導画面ｇ２を前記表示部に表示させる。
【０１４４】
図１０は誘導画面ｇ２の一例を示す。誘導画面ｇ２は、誘導情報Ｄ３１に含まれる装置周辺画像ｇ２０を表示する画面である。装置周辺画像ｇ２０は、前記利用装置の位置を表す目的位置画像ｇ２１と、前記利用装置の周辺に位置する物を表す周辺物画像ｇ２２とを含む。図１０が示す周辺物画像ｇ２２は、通路に記された記号の標示物の画像である。
【０１４５】
さらに、誘導画面ｇ２は、装置周辺画像ｇ２０における方位を基準にした携帯端末８の向きを表す端末向き画像ｇ２３を含む。端末向き画像ｇ２３が示す方向は、図９に示される端末向き画像ｇ１４と同様に、携帯端末８の前記電子コンパスの検出方位と誘導情報Ｄ３１に含まれる前記方位情報とに基づいて導出される。
【０１４６】
＜工程Ｓ５０５＞
携帯端末８は、誘導画面ｇ２の表示中に、携帯端末８の操作部に対して予め定められた確認操作が行われるか否かを監視する。携帯端末８は、前記確認操作が行われたことを検知するまで工程Ｓ５０４の処理を繰り返す。なお、前記確認操作は、前記ユーザーが前記利用装置に到達したことを明示するための操作である。
【０１４７】
＜工程Ｓ５０６＞
携帯端末８は、前記確認操作が行われたことを検知すると、予め定められた到達応答Ｄ３２を前記利用装置に対して第２通信回線９２を通じて送信する。前述したように、本実施形態における画像処理装置１０は、到達応答Ｄ３２の受信を前記到達条件とする（図７のＳ４０５）。
【０１４８】
工程Ｓ５０７の後、前記ユーザーは、前記利用装置を操作し、前記利用装置に対して前記画像処理ジョブを実行させる（Ｓ４０８）。
【０１４９】
＜工程Ｓ５０７＞
次に、携帯端末８は、自装置の操作部に対して予め定められた終了操作が行われるか否かを監視する。前記終了操作は、前記ユーザーが前記利用装置の利用を終えたことを明示するための操作である。携帯端末８は、前記終了操作を検知すると、前記携帯側案内誘導処理を終了させる。
【０１５０】
＜工程Ｓ５０８＞
到達応答Ｄ３２が送信された後、前記終了操作が検知されるまで、携帯端末８は、自装置の端末ＩＤ（Ｄ０１）を含む継続通知Ｄ３３を前記利用装置に対して第２通信回線９２を通じて随時送信する。携帯端末８は、予め定められた周期で継続通知Ｄ３３を送信する。これにより、前記利用装置は、前記ユーザーによる利用が可能な状態を維持する（図７のＳ４０９）。
【０１５１】
なお、画像処理装置１０において、図６の工程Ｓ３０２は、前記利用装置が携帯端末８を識別する端末識別情報を受付装置７から受信する工程の一例である。さらに、工程Ｓ３０２の処理を実行する主制御部１は端末情報間接受信部の一例である。
【０１５２】
また、図７の工程Ｓ４０１は、画像処理装置１０が、前記端末識別情報を携帯端末８から第２通信回線９２を通じて受信する工程の一例である。さらに工程Ｓ４０１の処理を実行する主制御部１は、出力側端末情報直接受信部の一例である。
【０１５３】
また、図７の工程Ｓ４０２は、画像処理装置１０が、受付装置７および携帯端末８の各々から相互に合致する前記端末識別情報を受信した前記ユーザー近接状態であるか否かを判定する工程の一例である。さらに、工程Ｓ４０２の処理を実行する主制御部１は、情報合致判定部の一例である。
【０１５４】
また、図７の工程Ｓ４０３，Ｓ４０４は、画像処理装置１０が、前記ユーザー近接状態である場合に前記ユーザーを自装置へ誘導する前記誘導処理を実行する工程の一例である。さらに、工程Ｓ４０３，Ｓ４０４の処理を実行する主制御部１はユーザー誘導部の一例である。
【０１５５】
また、図６の工程Ｓ３０３および図７の工程Ｓ４０１〜Ｓ４０６は、画像処理装置１０が、前記ユーザー近接状態の判定結果が得られるまでジョブ実行部による前記画像処理ジョブの実行を制限する工程の一例である。さらに、工程Ｓ３０３および工程Ｓ４０１〜Ｓ４０６の処理を実行する主制御部１は、ジョブ制限部の一例である。また、原稿スキャンジョブ処理部３および印刷ジョブ処理部４が前記ジョブ実行部の一例である。実行が制限される前記印刷ジョブは、前記端末識別情報の送信元から受信した印刷ジョブデータＤ２３に応じた前記受信データ印刷ジョブを含む。
【０１５６】
また、図６の工程Ｓ３０１は、画像処理装置１０各々が、自装置が備える前記画像処理機能である前記装備機能の情報を受付装置７に対して送信する工程の一例である。さらに、図４の工程Ｓ１０２は、受付装置７が前記装備機能の情報を受信する工程の一例である。
【０１５７】
また、図４の工程Ｓ１０２〜Ｓ１０５は、受付装置７が、第１通信回線９１を通じて通信可能な複数の画像処理装置１０の中から前記利用装置を選択する工程の一例である。さらに、工程Ｓ１０２〜Ｓ１０５の処理を実行する受付装置７のＣＰＵ７１１は利用装置選択部の一例である。
【０１５８】
また、図４の工程Ｓ１０１は、受付装置７が、携帯端末８を識別する前記端末識別情報を、携帯端末８から無線の第２通信回線９２を通じて受信する工程の一例である。さらに、工程Ｓ１０１の処理を実行する受付装置７のＣＰＵ７１１は、入力側端末情報直接受信部の一例である。
【０１５９】
また、図４の工程Ｓ１０６は、受付装置７が、前記利用装置の位置の案内に関する位置案内情報Ｄ１４を携帯端末８に対して第２通信回線９２を通じて送信する工程の一例である。さらに、工程Ｓ１０６の処理を実行するＣＰＵ７１１は、位置案内情報送信部の一例である。
【０１６０】
また、図４の工程Ｓ１０７は、受付装置７が、前記端末識別情報を前記利用装置に対して第１通信回線９１を通じて送信する工程の一例である。さらに工程Ｓ１０７の処理を実行するＣＰＵ７１１は端末情報送信部の一例である。
【０１６１】
また、図４の工程Ｓ１０１および工程Ｓ１１０は、受付装置７が、前記印刷ジョブの要求を携帯端末８から第２通信回線９２を通じて受信する工程の一例である。
【０１６２】
また、図４の工程Ｓ１１２は、受付装置７が、前記印刷ジョブに用いられる印刷ジョブデータＤ２３を、第１通信回線９１を通じて前記利用装置へ送信する工程の一例である。これに対応する図６の工程Ｓ３０４は、前記利用装置が印刷ジョブデータＤ２３を受信する工程の一例である。
【０１６３】
また、図４の工程Ｓ１０１は、受付装置７が、前記ユーザーが要求する前記画像処理機能である要求機能情報Ｄ０２を、携帯端末８から第２通信回線９２を通じて受信する工程の一例である。
【０１６４】
また、図４の工程Ｓ１０３は、受付装置７が、前記要求機能を包含する前記装備機能の情報の送信元を前記利用装置の選択候補として特定する工程の一例である。なお、工程Ｓ１０５において、受付装置７は、前記選択候補の中から前記利用装置を選択する。
【０１６５】
画像処理システム１００において、前記画像処理ジョブの要求を受け付ける情報処理装置である受付装置７と、画像処理装置１０とが、前記ユーザーの携帯端末８に対して位置案内情報Ｄ１４および誘導情報Ｄ３１を送信する。これにより、前記ユーザーが要求する前記画像処理ジョブを実行可能な前記画像処理装置へ前記ユーザーを適切に案内することが可能になる。このことは、前記ユーザーが複数の画像処理装置１０各々の位置などを知らない利用環境において好適である。
【０１６６】
また、前記ユーザーが要求した前記受信データ印刷ジョブは、前記ユーザーの携帯端末８が前記利用装置に近接する状態となるまで実行が保留される（図６のＳ３０３、図７のＳ４０６）。これにより、前記ユーザーの印刷物が他者に閲覧されたり他者に持ち去られたりすることを防止できる。
【０１６７】
また、受付装置７が、前記要求機能を包含する前記装備機能の情報の送信元を前記利用装置の選択候補として特定し、前記選択候補の中から前記利用装置を選択する（図４のＳ１０２〜Ｓ１０５）。これにより、前記ユーザーが画像処理装置１０各々の機能を知らない場合でも、前記ユーザーが要求する前記画像処理ジョブを実行可能な前記画像処理装置１０が前記利用装置として選択される。
【０１６８】
また、画像処理装置１０は、自装置が備える誘導灯２０を通じて報知する処理を前記誘導処理として実行する（図７のＳ４０３）。さらに、画像処理装置１０は、誘導情報Ｄ３１を携帯端末８に送信する処理を前記誘導処理として実行する（図７のＳ４０４）。これにより、前記ユーザーは、前記利用装置をより認識しやすい状態で前記利用装置へ誘導される。
【０１６９】
[応用例]
画像処理システム１００において、受付装置７が、前記利用装置の位置を案内する画像およびテキストなどを含むＷｅｂページのＵＲＬを、位置案内情報Ｄ１４として携帯端末８に送信することが考えられる。同様に、画像処理装置１０が、前記ユーザーを自装置へ誘導する画像およびテキストなどを含むＷｅｂページのＵＲＬを、誘導情報Ｄ３１として携帯端末８に送信することも考えられる。
【０１７０】
また、画像処理システム１００において、受付装置７が、携帯端末８からジョブ要求コマンドＤ１１を受信する前に、画像処理装置１０各々から装備機能情報Ｄ２２を受信する工程Ｓ１０２の処理を予め実行することも考えられる。
【０１７１】
また、画像処理システム１００において、画像処理装置１０各々が、受付装置７を兼ねることも考えられる。この場合、前記ユーザーの携帯端末８が、最寄りの画像処理装置１０に対してジョブ要求コマンドＤ１１を送信すればよい。これにより、その最寄りの装置を含む複数の画像処理装置１０の中から前記要求機能を備える画像処理装置１０が前記利用装置として案内される。
【０１７２】
また、画像処理装置１０が、誘導灯２０の代わりに、または、誘導灯２０に加えて、報知音を出力する音響機器を前記報知部として備えることも考えら得る。
【０１７３】
なお、本発明に係る画像処理装置案内方法、画像処理装置および画像処理システムは、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【０１７４】
１        ：主制御部
２        ：操作表示部
３        ：原稿スキャンジョブ処理部
４        ：印刷ジョブ処理部
５        ：画像処理部
７        ：受付装置（第１情報処理装置）
８        ：携帯端末（第２情報処理装置）
９        ：バス
１０      ：画像処理装置
１１      ：ＭＰＵ
１２      ：記憶部
２０      ：誘導灯
３１      ：スキャン部
３２      ：スキャン制御部
４１      ：印刷部
４２      ：印刷制御部
６１      ：第１通信部
６２      ：第２通信部
６３      ：後処理部
７１      ：本体部
７２      ：操作部
７３      ：表示部
９１      ：第１通信回線
９２      ：第２通信回線
１００    ：画像処理システム
７１１    ：ＣＰＵ
７１２    ：記憶部
７１３    ：第１通信部
７１４    ：第２通信部
７１５    ：信号インターフェイス
Ｄ０１    ：端末ＩＤ
Ｄ０２    ：要求機能情報
Ｄ０３    ：データ供給元情報
Ｄ１１    ：ジョブ要求コマンド
Ｄ１２    ：選択候補
Ｄ１３    ：利用装置選択指示コマンド
Ｄ１４    ：位置案内情報
Ｄ１５    ：印刷対象データ
Ｄ２１    ：装備機能要求コマンド
Ｄ２２    ：装備機能情報
Ｄ２３    ：印刷ジョブデータ
Ｄ３１    ：誘導情報
Ｄ３２    ：到達応答
Ｄ３３    ：継続通知
Ｐｒ１１  ：利用装置案内プログラム
Ｐｒ２１  ：ジョブ準備プログラム
Ｐｒ２２  ：ジョブ制御プログラム
ｇ１      ：経路案内画面
ｇ２      ：誘導画面
【図１】
0005992063.tif 000002
【図２】
0005992063.tif 000003
【図３】
0005992063.tif 000004
【図４】
0005992063.tif 000005
【図５】
0005992063.tif 000006
【図６】
0005992063.tif 000007
【図７】
0005992063.tif 000008
【図８】
0005992063.tif 000009
【図９】
0005992063.tif 000010
【図１０】
0005992063.tif 000011